(57)【要約】【課題】組付け誤差を生じ難くして組付け作業の効率を向上し得る引出しの支持構造を提供する。【解決手段】本体５２を構成するトップパネル４２の下方に収納部５０が画成される。レール部７６,７６を有した固定レール部材６６は、ブラケット６８に取付けられる。また、ブラケット６８は、トップパネル４２の下面に固定される。そして、引出し５６の可動レール７４,７４と固定レール部材６６のレール部７６,７６をスライド自在に係合させることで、収納部５０内において、引出し５６がトップパネル４２の下面に支持される。【選択図】図１
2008079991.tif 000002
【特許請求の範囲】
【請求項１】
本体(52)を構成する水平パネル(42)の下方に画成された収容領域(50)内に引出し(56)を出入れ自在に支持する引出しの支持構造であって、
前記水平パネル(42)の下面に吊設したブラケット(68)に前記固定レール部材(66)を取付け、該固定レール部材(66)に引出し(56)の可動手段(74)をスライド可能に支持するようにした
ことを特徴とする引出しの支持構造。
【請求項２】
前記固定レール部材(66)は、夫々が前記収容領域(50)の奥行き方向に延在し、前記引出し(56)のスライド方向に交差する幅方向に離間する一対のレール部(76,76)を、両レール部(76,76)の奥側の端部で連結部(72)により連結して構成される請求項１記載の引出しの支持構造。
【請求項３】
前記固定レール部材(66)およびブラケット(68)が、前記水平パネル(42)の下面において幅方向に複数並列して設けられ、各対応の固定レール部材(66)に引出し(56)が支持される請求項１または２記載の引出しの支持構造。
【請求項４】
前記水平パネル(42)は、箱状に形成された本体(52)のトップパネル(42)である請求項１〜３の何れか一項に記載の引出しの支持構造。
【発明の詳細な説明】
【技術分野】
【０００１】
この発明は、引出しの支持構造に関し、更に詳細には、例えば、キャビネット等にスライド自在に設けられた引出しを支持する構造に関するものである。
【背景技術】
【０００２】
例えば、本体に収納部が内部画成されたキャビネットは、特許文献１に示すように、スライド自在な引出しを備えたものが多い。図４は、このような引出しを備えたキャビネットを示す分解斜視図であって、キャビネット１０の本体１２は、トップパネル１４、一対のサイドパネル１６,１６、リヤパネル１８およびボトムパネル２０を相互に組付けて構成され、前方が開放した箱体形状をなしている。本体１２に内部画成された収納部２２は、板状のセンターパネル２４によって上下に分割され、上方の収納部２２ａ内に複数(図４では２つ)の引出し２６,２６がスライド自在に支持されている。なお、下方の収納部２２ｂに臨む前側の開口部２８には、例えば、図示しない観音開き式の扉が開閉自在に設けられ、該開口部２８を開閉するようになっている。
【０００３】
前記上方の収納部２２ａには、引出し２６をスライド自在に支持する固定レール３０が、１つの引出し２６に対して２つ設けられている(図４では、左側の固定レール３０のみ図示)。すなわち、上方の収納部２２ａにおいてキャビネット１０の幅方向に所定間隔離間して配設される一対のブラケット３２,３２の両対向面に、固定レール３０が夫々設けられる。そして、引出し２６の前面をなす前板２６ａの裏面から後方(奥行き方向)へ向けて延在する一対の可動レール３４,３４を、両固定レール３０,３０にスライド自在に係合することで、引出し２６が上方の収納部２２ａ内にスライド自在に支持されるようになっている。前記固定レール３０が設けられるブラケット３２は、その上下の面がトップパネル１４およびセンターパネル２４にネジ等で固定されている。また、ブラケット３２の固定レール３０が設けられていない側の面に、センターパネル２４に立設した板状の補強材３６が当接状態で固定され、ブラケット３２を位置決め固定している。
【特許文献１】実開平６−４６２８３号公報
【発明の開示】
【発明が解決しようとする課題】
【０００４】
ところで、前記引出し２６の前板２６ａの前面は、キャビネット１０の前面に臨んで意匠面を構成するため、引出し２６の収納時に前板２６ａが傾いていると、キャビネット１０の外観が損なわれる問題がある。すなわち、キャビネット１０の美観を維持するため、引出し２６の位置決めの基準となるブラケット３２や固定レール３０の組付け精度が非常に重要となる。しかるに、前述のように、ブラケット３２がセンターパネル２４やトップパネル１４、更には補強材３６等の複数の部材に亘って固定される構成では、ブラケット３２の加工公差や組付け公差が累積的に加算されて固定レール３０の延在方向のズレが大きくなりがちである。従って、この累積的な誤差をなくすため、組付け作業に高度な正確性が要求されて時間が掛かってしまう。また、組付け後のズレの修正作業も必要となる難点があった。すなわち、ブラケット３２の固定箇所が多くなる程、組付け作業や修正に時間が掛かってしまい、殊に、引出し２６を多く備えたキャビネット１０では、その作業が非常に繁雑となって製造コストも高騰する問題があった。
【０００５】
そこで本発明は、前述した従来の技術に内在している前記問題に鑑み、これを好適に解決するべく提案されたものであって、組付け誤差を生じ難くして作業効率を向上し得る引出しの支持構造を提供することを目的とする。
【課題を解決するための手段】
【０００６】
前述した課題を解決し、所期の目的を好適に達成するため、本発明に係る引出しの支持構造は、
本体を構成する水平パネルの下方に画成された収容領域内に引出しを出入れ自在に支持する引出しの支持構造であって、
前記水平パネルの下面に吊設したブラケットに前記固定レール部材を取付け、該固定レール部材に引出しの可動手段をスライド可能に支持するようにしたことを特徴とする。
請求項１の発明によれば、引出しを支持するブラケットを水平パネルにのみ固定する構成としたので、従来の如く、組付け誤差が累積する問題を解消し得る。従って、ブラケットの組付け作業が非常に効率的となり、作業時間を大幅に低減し得ると共に、組付け後の修正作業も殆ど要しない。また、従来の如く、ブラケットを下から支持する必要がないので、センターパネルや補強材等の部材を省略でき、部品点数を低減してコストを抑制し得る。
【０００７】
請求項２に係る引出しの支持構造では、固定レール部材を、夫々が前記収容領域の奥行き方向に延在し、引出しのスライド方向に交差する幅方向に離間する一対のレール部が、両レール部の奥側の端部で連結部により連結されて構成した。
請求項２の発明によれば、両レール部の端部を連結部で連結する構成としたので、該レール部の剛性が確保されて引出しを確実に支持し得ると共に、引出しのスムーズなスライドを実現することができる。
【０００８】
請求項３に係る引出しの支持構造では、固定レール部材およびブラケットが、前記水平パネルの下面において幅方向に複数並列して設けられ、各対応の固定レール部材に引出しが支持されるようにした。
請求項３の発明によれば、複数の固定レール部材を取付ける際の作業効率を向上し得る。
【０００９】
請求項４に係る引出しの支持構造では、水平パネルとして、箱状に形成された本体のトップパネルが採用される。
請求項４の発明によれば、従来の如く、センターパネルを必要としないので、箱状本体の収容領域を有効利用し得ると共に、部品点数を低減させることができる。
【発明の効果】
【００１０】
本発明に係る引出しの支持構造によれば、引出しを水平パネルにブラケットを介して支持する構成としたので、ブラケットの固定箇所が低減して組付け作業を効率的にし得ると共に、組付け後の修正作業に要する時間も低減し得る。
【発明を実施するための最良の形態】
【００１１】
次に、本発明に係る引出しの支持構造につき、好適な実施例を挙げて、添付図面を参照しながら以下説明する。なお、実施例では、本発明に係る引出しの支持構造をキャビネットに適用した場合を例に説明することとする。また、以下の説明では、収納時における引出しの扉が露出する側をキャビネットの正面側とし、この正面側を基準に、「前後・左右・上下」と指称することとする。
【００１２】
図１は、実施例に係る引出しの支持構造が採用されたキャビネットを示す分解斜視図である。実施例に係るキャビネット４０は、トップパネル(水平パネル)４２、一対のサイドパネル４４,４４、リヤパネル４６およびボトムパネル４８を相互に組付けて、前方が開放すると共に内部に収納部(収容領域)５０が画成された箱体状の本体５２が形成される。そして、前記収納部５０の内部に、例えば、食器類や調理器具等の被収納物を収納し得るようになっている。前記本体５２の前面に開口する開口部５４の上部には、引出し５６の前板５８が整合する矩形枠状の前面フレーム６０が設けられ、該フレーム６０により画成された左右方向(スライド方向と交差する幅方向)に隣接する２つの引出し用開口６２,６２を介して、２つの引出し５６(図１では、１つのみ図示)が収納部５０内に収容されるよう構成される。なお、前記引出し用開口６２,６２の下方側に設けられる下開口部６４は、例えば、回動自在に設けられた観音開き式の扉(図示せず)により開閉されるようになっている。
【００１３】
前記トップパネル４２には、引出し５６をスライド自在に支持する固定レール部材６６が、該トップパネル４２の下面に吊設されたブラケット６８を介して取付けられている。前記固定レール部材６６は、収納部５０の前後方向(奥行き方向)に延在する一対の縦フレーム７０,７０と、両縦フレーム７０,７０を後端側で連結する連結フレーム(連結部)７２とからなり、全体でコ字型に形成されている。そして、両縦フレーム７０,７０における対向する内向面に、引出し５６に設けられた可動レール(可動手段)７４がスライド自在に係合するレール部７６が、夫々前後方向の全長に亘って延在するように設けられている。すなわち、両レール部７６,７６の後方(奥側)の端部は、前記連結フレーム７２により連結されて、該レール部７６,７６の剛性が高められている。更に、前記レール部７６は、図２に示すように、後方端が前方端よりも下方に位置するよう僅かに傾斜(約１°〜５°)している。すなわち、レール部７６を僅かに下方傾斜させることで、該レール部７６に支持された引出し５６は、常に閉成する方向(後方へスライドする方向)への力が加わるようになっている。
【００１４】
前記ブラケット６８は、固定レール部材６６と同様なコ字状のフレーム部材を９０°転回した状態で使用されるものであって、鉛直方向に延在して幅方向に離間する一対の鉛直フレーム７８,７８と、両鉛直フレーム７８,７８の下端を連結する横フレーム８０とから構成される。そして、前記固定レール部材６６における縦フレーム７０の前方側(開口部５４側)の端部が、鉛直フレーム７８の内向面に固定されて、固定レール部材６６がブラケット６８に取付けられている。なお、縦フレーム７０を鉛直フレーム７８に固定する際、例えば、ネジ等の固定手段が好適に使用される。
【００１５】
両鉛直フレーム７８,７８の上端部は、互いに近接する向きに折り曲げられて固定片８２,８２が形成され、該固定片８２,８２をトップパネル４２の下面に当接させた状態でネジ１１０によりネジ止めすることで、前記ブラケット６８がトップパネル４２の下面に吊設される(図２参照)。すなわち、前記ブラケット６８の固定は、前記固定片８２,８２とトップパネル４２の下面とのネジ止めによってのみ達成されている。なお、前記鉛直フレーム７８,７８の内面にローラ８６,８６が回転自在に設けられ、各ローラ８６が引出し５６の案内凹部(後述)８８に当接して臨むよう構成される。すなわち、引出し５６のスライド時に前記ローラ８６,８６が回転することで、引出し５６のスムーズなスライドが実現されるようになっている。
【００１６】
前記引出し５６は、従来公知の引出しと同様な構成であって、キャビネット４０の前面に臨んで意匠面を構成する前板５８と、該前板５８の後方に設けられた本体枠部９４とから基本的に構成される。引出し５６には、前記前板５８の後面から本体枠部９４の後端部に掛けて前後方向に延在して幅方向に離間する一対の可動レール７４,７４が設けられ、該可動レール７４,７４が前記レール部７６,７６にスライド自在に係合することで、引出し５６は固定レール部材６６に支持されるようになっている。すなわち引出し５６は、前記収納部５０内において、前記固定レール部材６６およびブラケット６８を介してトップパネル４２の下面に支持される。前記本体枠部９４は、前後方向に延在して幅方向に離間する一対のサイドフレーム９６,９６と、両サイドフレーム９６,９６の後端を連結する上下の水平フレーム９８,９８とからなり、各サイドフレーム９６の外面に、前後方向に延在する案内凹部８８が設けられている(図１では、右側のみ図示)。また、図１の点線で示すように、前記本体枠部９４が画成する空間に収納箱１００が着脱自在に配設され、該収納箱１００内に被収納物を収納するよう構成される。なお、前述したように、前記固定レール部材６６におけるレール部７６は下方傾斜しているので、固定レール部材６６に支持された引出し５６は常に閉成する方向へ移動するようになっている。すなわち、引出し５６は、自動スライド機能を備えている。また、前記前板５８は、閉成時に前記前面フレーム６０と整合するよう、前記可動レール７４,７４およびサイドフレーム９６,９６に対して若干傾斜して設けられる。換言すれば、前記可動レール７４,７４およびサイドフレーム９６,９６は、前板５８に対して直角に設けられるのではなく、後方へ向けて僅かに下方傾斜している。
【００１７】
実施例においては、複数の引出し５６をブラケット６８を介してトップパネル４２で支持しているため、該トップパネル４２に加わる負荷が大きくなる。そこで、図１に示すように、トップパネル４２の上面に、幅方向に延在する複数のリブ８４を折曲成形して、該パネル４２の強度向上が図られている。また、トップパネル４２の後端部には、下方へ所定長さで延出する上部リヤパネル９０が設けられている。この上部リヤパネル９０には、その下端に支持部９２が形成されており、トップパネル４２を組付けた際に、該支持部９２に前記リヤパネル４６の上縁部が臨んで、該リヤパネル４６と上部リヤパネル９０とが整合するようになっている。
【００１８】
(実施例の作用)
次に、前述した実施例に係る引出しの支持構造の作用について、キャビネット４０を組付ける過程と併せて説明する。先ず始めに、前記固定レール部材６６をブラケット６８に取付ける。すなわち、前記固定レール部材６６の両縦フレーム７０,７０を、ブラケット６８の鉛直フレーム７８,７８の内向面に当接させ、ネジ等により固定する。更に、もう１組の固定レール部材６６およびブラケット６８を組付けておく。
【００１９】
次に、前記ブラケット６８の固定片８２をトップパネル４２の下面に当接したもとでネジ１１０によりネジ止めして、２つのブラケット６８,６８をトップパネル４２の下面に並列に固定する。次いで、トップパネル４２をリヤパネル４６およびサイドパネル４４,４４に組付ける。このとき、前記上部リヤパネル９０の支持部９２に前記リヤパネル４６の端縁部を臨ませて、トップパネル４２およびリヤパネル４６を整合させる。併せて、前記ボトムパネル４８をサイドパネル４４,４４およびリヤパネル４６に組付け、キャビネット４０の本体５２が完成する。
【００２０】
前記トップパネル４２を組付けると、２組の固定レール部材６６およびブラケット６８が、本体５２の収納部５０内において対応の引出し用開口６２の後方に位置する。この状態において、前記引出し５６の後部を対応の引出し用開口６２を介して収納部５０内へ臨ませ、前記可動レール７４,７４を固定レール部材６６の両レール部７６,７６に係合させる。このとき、前記レール部７６,７６は、後方へ向けて僅かに下方傾斜しているので、引出し５６は自重で後方へスライドして、前記引出し用開口６２は自動的に閉成される。こうして、２つの引出し５６,５６が、収納部５０内において、ブラケット６８,６８を介してトップパネル４２に支持される。
【００２１】
以上に説明したように、実施例に係る引出しの支持構造によれば、引出し５６を支持するブラケット６８をトップパネル４２の下面にのみ固定する構成としたので、ブラケット６８の固定箇所が少なくなり、組付け誤差が累積する問題を回避し得る。従って、ブラケット６８の組付け作業が従来に比べ非常に効率的となり、作業時間を大幅に低減し得る。また、ブラケット６８を下から支持する必要がないので、従来例で示したセンターパネル２４や補強材３６等を設ける必要がなく、キャビネット４０の部品点数を低減することができる。更に、センターパネル２４を必要としないことから、キャビネット４０の収納部５０を有効利用でき、大きな被収納物を収納することが可能となる。
【００２２】
また、前記固定レール部材６６における両レール部７６,７６の端部は連結フレーム７２により連結されているので、レール部７６,７６の剛性が高められて引出し５６の正確なスライドを実現し得ると共に、組付け誤差が生じ難くなる。更に、組付け作業の工程数が低減することにより、実施例の如く、複数の引出し５６,５６を備えたキャビネット４０において、組付け作業の効率化がより好適に発揮される。なお、前記トップパネル４２の上面側に複数のリブ８４を形成して強度向上が図られているので、実施例の如く、トップパネル４２によって複数の引出し５６,５６を支持する構成であっても、該トップパネル４２が変形等することはない。
【００２３】
(変更例)
なお、実施例では、固定レール部材６６がブラケット６８にのみ固定される構成としたが、例えば、前記連結フレーム７２の後面を前記上部リヤパネル９０の前面に当接状態で固定して、固定レール部材６６の位置決めをより確実にすることも可能である。また、実施例では、引出し５６が２つ並列的に設けられたキャビネット４０を例示したが、引出し５６を１つとしたり、３つ以上並列的に備えていてもよい。更に、実施例では、引出し５６の下方側の領域も収納部５０として利用し得る構成であったが、引出し５６の直下にボトムパネル４８を設けて、下方側の収納部５０を設けない構成としてもよい。すなわち、本発明の請求項１における収容領域とは、少なくとも、引出し５６を収容し得るスペースであれば足り、実施例の如く、必ずしも被収納物を収納し得るスペースが別途確保されている必要はない。
【００２４】
実施例では、引出し５６の可動手段として、前記固定レール部材６６のレール部７６,７６にスライド自在に係合する可動レール７４,７４を採用した。しかしながら、前記可動手段としては、可動レール７４,７４に限定される訳でなく、前記固定レール部材６６にスライド自在に係合し得るものであれば、他の構成を適宜採用可能である。従って、例えば、可動手段としての一対の回転ローラを引出し５６の本体枠部９４の両側後方に設け、該回転ローラが前記レール部７６,７６に設けた溝に臨んで転動する構成としてもよい。また、実施例では、レール部７６,７６が後方へ向けて下方傾斜する構成としたが、レール部７６,７６を水平に設置してもよい。この場合、引出し５６の前板５８と可動レール７４,７４とは、垂直に組付けられる。
【００２５】
本発明に係る引出しの支持構造は、実施例の如く、キャビネット４０にのみ採用されるものではなく、剛性を有した水平パネルで引出しを支持する構成を採用し得るものであれば、戸棚や貯蔵庫等、如何なるものであっても採用可能である。従って、例えば、図３に示すように、水平パネルとしてのテーブル台１０２が４本の脚部１０８で支持され、該テーブル台１０２の下方に引出し５６を備えたテーブル１０６においても本発明を採用することができる。すなわち、前記テーブル台１０２の下方の領域が引出し５６を収容可能な収容領域１０４として設定され、該テーブル台１０２の下面にブラケット６８を介して引出し５６を支持する。
【図面の簡単な説明】
【００２６】
【図１】実施例に係る引出しの支持構造が採用されたキャビネットを示す分解斜視図である。
【図２】実施例に係る引出しの支持構造が採用されたキャビネットの要部を示す縦断側面図である。
【図３】変更例に係る引出しの支持構造が採用されたテーブルを示す分解斜視図である。
【図４】従来例に係る引出しの支持構造が採用されたキャビネットを示す分解斜視図である。
【符号の説明】
【００２７】
４０ キャビネット，４２ トップパネル(水平パネル)
５０ 収納部(収容領域)，５２ 本体，５６ 引出し，６６ 固定レール部材
６８ ブラケット，７２ 連結フレーム(連結部)，７４ 可動手段(可動レール)
７６ レール部
【図１】
2008079991.tif 000003
【図２】
2008079991.tif 000004
【図３】
2008079991.tif 000005
【図４】
2008079991.tif 000006